(57)【要約】【課題】  シャワーヘッドをホースと共にホルダーから引き出して使用する水栓において、ホルダーの開口部から内部に浸入した水滴がホルダーの内壁面を伝ってカウンターの下部に落下し、キャビネットの内部を水浸しにすることがないようにする。【解決手段】  水栓Ａは、流し台や洗面台等のカウンター１に固定され、弁機構３が装着される水栓本体２と、該水栓本体２から上部傾斜方向に延設し、先端に開口部１３が形成されたホルダー４と、該ホルダー４の開口部１３に引き出し自在に支持されるシャワーヘッド５と、該シャワーヘッド５と前記弁機構３とを接続し、ホルダー４の内部を挿通するホース６とを備え、前記ホルダー４の開口部１３と水栓本体２との間に、ホース６がホルダー４の内壁面４ａに接触しないようにするための隔離部材１４を形成した。【選択図】  図１
2005299118.tif 000002
【特許請求の範囲】
【請求項１】
流し台や洗面台等のカウンターに固定され、弁機構が装着される水栓本体と、該水栓本体から上部傾斜方向に延設し、先端に開口部が形成されたホルダーと、該ホルダーの開口部に引き出し自在に支持されるシャワーヘッドと、該シャワーヘッドと前記弁機構とを接続し、ホルダーの内部を挿通するホースとを備え、前記ホルダーの開口部と水栓本体との間に、ホースがホルダーの内壁面に接触しないようにするための隔離部材が形成されたことを特徴とする水栓。
【請求項２】
前記隔離部材は、水栓本体の底面から立ち上がる支持壁からなることを特徴とする請求項１記載の水栓。
【請求項３】
前記隔離部材は、ホルダーの内壁面にホルダーの中心線に向けて形成されるリブであることを特徴とする請求項１記載の水栓。
【請求項４】
前記隔離部材は、ホルダーの内部に設けられホースが挿通するガイドであることを特徴とする請求項１記載の水栓。
【請求項５】
前記ホルダーまたは水栓本体の下部には、ホルダーの内部に浸入した水滴が排水される排水孔が穿設されたことを特徴とする請求項１乃至請求項４の何れかに記載の水栓。
【発明の詳細な説明】
【技術分野】
【０００１】
本発明は、流し台や洗面台等のカウンターに固定され、シャワーヘッドをホースと共にホルダーから引き出して使用する水栓に関する。
【背景技術】
【０００２】
従来、流し台や洗面台等のカウンターに固定された水栓のホルダー内部にホースを挿通させ、このホースの先端に接続されたシャワーヘッドをホルダーから引き出し自在とした水栓において、シャワーヘッドをホースと共にホルダーから引き出した際に、ホースに付着した水滴がホルダー内部からカウンター下部のキャビネット内部に浸入しないようにしたものとして、例えば特許文献１に開示されているようなものが知られている。この特許文献１においては、水栓本体は内部が中空になっており、上部傾斜方向に延設したホルダーは、先端の開口部から水栓本体の下端開口部にかけてホースを挿通させている。ホースの上端はシャワーヘッドと、下端は送水管とそれぞれ接続している。水栓本体はホルダーの付け根部分の内壁に、ホースと接するようにマウント状の水切り部を設け、その下方に排水口を設けたものである。
【０００３】
【特許文献１】特開平５−２９５７７１号公報
【発明の開示】
【発明が解決しようとする課題】
【０００４】
このように特許文献１の水栓は、水栓本体の内壁にマウント状の水切り部を設けることで、ホースに付着した水滴は水切り部に移動し、水栓本体の内壁を伝って排水口から排水されるようにしたものであるが、ホルダーの開口部はホースの外径より大径であり、ホースホルダーから引き出して使用した際に、この開口部からホルダーの内部に浸入した水滴は、内壁から水切り部を介してホースに伝い、カウンターの下部に落下してしまい、キャビネットの内部を水浸しにしてしまうものであった。また、キャビネットの内部に水受タンクを収容し、カウンターから落下する水滴を水受タンクの内部に収容させることも行なわれているが、水受タンクによりキャビネット内部の収納空間が狭くなってしまい、他の物品を置くことができなくなるという問題があり、その解決策が望まれていた。
【０００５】
この発明は、このような従来の技術に存在する問題点に着目してなされたものであり、その課題は、シャワーヘッドをホースと共にホルダーから引き出して使用する水栓において、ホルダーの開口部から内部に浸入した水滴が、ホルダーの内壁面を伝ってカウンターの下部に落下し、キャビネットの内部を水浸しにすることがないようにするものである。
【課題を解決するための手段】
【０００６】
上記の課題を達成するために請求項１に記載の発明では、水栓は、流し台や洗面台等のカウンターに固定され、弁機構が装着される水栓本体と、該水栓本体から上部傾斜方向に延設し、先端に開口部が形成されたホルダーと、該ホルダーの開口部に引き出し自在に支持されるシャワーヘッドと、該シャワーヘッドと前記弁機構とを接続し、ホルダーの内部を挿通するホースとを備え、前記ホルダーの開口部と水栓本体との間に、ホースがホルダーの内壁面に接触しないようにするための隔離部材が形成されたことを特徴とするものである。
【０００７】
請求項２に記載の発明では請求項１記載の発明による水栓において、前記隔離部材は水栓本体の底面から立ち上がる支持壁からなることを特徴とするものである。
【０００８】
請求項３に記載の発明では請求項１記載の発明による水栓において、前記隔離部材はホルダーの内壁面にホルダーの中心線に向けて形成されるリブであることを特徴とするものである。
【０００９】
請求項４に記載の発明では請求項１記載の発明による水栓において、前記隔離部材はホルダーの内部に設けられホースが挿通するガイドであることを特徴とするものである。
【００１０】
請求項５に記載の発明では請求項１乃至請求項４の何れかに記載の発明による水栓において、前記ホルダーまたは水栓本体の下部には、ホルダーの内部に浸入した水滴が排水される排水孔が穿設されたことを特徴とするものである。
【発明の効果】
【００１１】
本発明によると、水栓は、流し台や洗面台等のカウンターに固定され、弁機構が装着される水栓本体と、該水栓本体から上部傾斜方向に延設し、先端に開口部が形成されたホルダーと、該ホルダーの開口部に引き出し自在に支持されるシャワーヘッドと、該シャワーヘッドと前記弁機構とを接続し、ホルダーの内部を挿通するホースとを備え、前記ホルダーの開口部と水栓本体との間に、ホースがホルダーの内壁面に接触しないようにするための隔離部材が形成されたので、ホルダーの開口部から内部に浸入した水滴がカウンターの下部に浸入し、キャビネットの内部を水浸しにすることがなく、衛生的に使用することができる。
【００１２】
また、ホルダーまたは水栓本体の下部には、ホルダーの内部に浸入した水滴が排水される排水孔が穿設されたので、水滴はカウンターの上面に排水され、キャビネットの内部に浸入することがない。
【発明を実施するための最良の形態】
【００１３】
以下、本発明の実施の形態を図に基づいて詳細に説明する。
【実施例１】
【００１４】
図１に示すように、本発明の水栓Ａは、流し台や洗面台等のカウンター１に起立した状態で固定され、上部に弁機構３が装着される水栓本体２と、該水栓本体２の外周面に回転自在に装着され上部傾斜方向に延設するホルダー４と、該ホルダー４に引き出し自在に支持されるシャワーヘッド５と、該シャワーヘッド５と前記弁機構３とを接続するホース６とを備えている。
【００１５】
前記水栓本体２は縦長の略円筒状に形成され、図２に示すように上部にはセラミックス製で略円盤型の固定板３ａと、該固定板３ａと同一素材からなる可動板３ｂとを水密に重ね合わせた弁機構３が装着されており、下部には給湯管７と給水管８とが接続され、給湯管７により湯が、給水管８により水が弁機構３に供給される。該弁機構３の下部には通水管９が接続され、弁機構３により流量及び温度が調節された湯水は通水管９を通過するものであり、該弁機構３の上部にはレバー１０が連繋し、該レバー１０を上下または左右に操作することで、前記固定板３ａと可動板３ｂとの弁開閉の対応関係を変化させることによって、通水管９に供給される湯水の流量または温度の調節が可能である。
【００１６】
前記通水管９はカウンター１に穿設された取付孔１ａに挿通し、座金１１をカウンター１の下部に当て、座金１１の下部からナット１２を通水管９の外周面に螺着することにより、水栓Ａはカウンター１に起立した状態で固定されるようになっている。
【００１７】
前記水栓本体２の外周面には中空状のホルダー４が回転自在に装着され、該ホルダー４は上部傾斜方向に延設し、先端には開口部１３が形成され、該開口部１３にはシャワーヘッド５が引き出し自在に支持される。該シャワーヘッド５の基端にはホース６が接続され、該ホース６の外径はホルダー４の開口部１３より小径であり、ホルダー４の内部に引き出し自在に収納されるものであり、その基端がカウンター１の下部で前記通水管９に接続される。
【００１８】
図３に示すように、前記水栓本体２には隔離部材が形成されている。本実施例の隔離部材は水栓本体２の前面側の下端から立ち上がるように形成された環状の支持壁１４であり、該支持壁１４の上部に、ホース６がホルダー４の内部から水栓本体２の内部に通り抜けるようにするための挿通孔１５が形成されている。前記支持壁１４は、挿通孔１５を挿通するホース６を下部から支持することで、ホース６がホルダー４の開口部１３と挿通孔１５との間で、ホルダー４の内壁面４ａに接触しないように遠ざけることのできる高さに形成され、ホース６はホルダー４の内部で支持壁１４により下部から支持され、ホルダー４の内壁面４ａに接触しないようにしている。
【００１９】
前記ホルダー４の底部で前面側の一部には排水孔１６が穿設され、ホルダー４の内壁面４ａを伝う水滴は、排水孔１６によりカウンター１の上面に向けて排水される。なお、排水孔は水栓本体に穿設してもよい。
【００２０】
前記ホルダー４の開口部１３とシャワーヘッド５の基端とには、シャワーヘッド５をホルダー４の開口部１３に引き出し自在に支持するための支持装置１７が固定されている。該支持装置１７は第１支持部材１８と第２支持部材１９とから構成され、ホルダー４先端の開口部１３には第１支持部材１８が、シャワーヘッド５基端の開口部３２には第２支持部材１９がそれぞれ固定されている。
【００２１】
前記第１支持部材１８は、小径部２０と大径部２１とからなる合成樹脂製の略円筒状で、小径部２０の外周面には雄セレーション２２が刻設されている。前記大径部２１の内周には略リング状の水切具２３が設けられ、該水切具２３はホース６の外周面に接続し、ホース６に付着した水滴をはじき落とすものである。また、水切具２３の近傍には、水切具２３ではじき落とされた水滴等をホルダー４から外部へ排水するための切欠孔２４が穿設されている。第１支持部材１８はホルダー４先端の開口部１３に挿入した状態では、小径部２０、即ち雄セレーション２２がホルダー４から露出した状態となっている。また、前記大径部２１の略中央には係合爪２５が外周側に突出するように形成され、該係合爪２５が前記切欠孔２４に弾力的に係合することで、第１支持部材１８はホルダー４に固定される。
【００２２】
前記第２支持部材１９は合成樹脂製の略円筒状で、略中央付近には内側に突出した環状の突起２６が形成されており、該突起２６の一方の内周面には、前記第１支持部材１８の雄セレーション２２と嵌合する雌セレーション２７が刻設され、他方にはホース６先端に接続された金具２８を収容する収容部２９が形成されている。該収容部２９の外周には、シャワーヘッド５の開口部３１に形成された雌ねじ部３２と螺合する雄ねじ部３０が形成されている。
【００２３】
前記シャワーヘッド５は、第２支持部材１９の雌セレーション２７をホルダー４に固定された第１支持部材１８の雄セレーション２２に嵌合させることで、ホルダー４に着脱自在に支持されている。また、シャワーヘッド５の先端にはボタン３３が設けられており、該ボタン３３を操作することで、シャワーヘッド５から吐水される湯水の吐水形態を、直流または散水、直流または泡沫流等に変更できるものである。
【００２４】
上記構成において、図１に示す水栓Ａのレバー１０を吐水方向へ操作することで、弁機構３で調節された湯水はシャワーヘッド５から吐水され、該シャワーヘッド５をホース６と共にホルダー４から引き出せば、自由な位置で洗い物作業等を行なうことができる。この際、シャワーヘッド５から吐水された湯水がホース６に付着したり、湯水がホルダー４の開口部１３に固定された第１支持部材１８から内部に浸入することがあり、この水滴は第１支持部材１８に装着された水切具２３で周囲に振り落とされ、該水切具２３の手前に形成された切欠孔２４から外部に排水される。ここで、水切具２３で振り落とされなかった水滴は、ホルダー４の内部でホース６から落下し、ホルダー４の内壁面４ａに振り落とされる。そして、開口部１３から浸入した水滴と共に、ホルダー４の内壁面４ａを伝って排水孔１６からカウンター１の上面に排水される。なお、この際ホース６はホルダー４内部で支持壁１４により支持され、ホルダー４の内壁面４ａに接触しないように浮いた状態であるので、水滴はホース６に伝うことはない。
【００２５】
以上のように本発明では、ホースは隔離部材である支持壁によりホルダーの内部で内壁面に接触しないように浮いた状態であるため、ホルダーの内部に侵入した水滴はホルダーの内壁面を伝って排水孔から排水され、カウンターの下部に落下することがなく、キャビネットの内部を水浸しにすることがない。
【実施例２】
【００２６】
図５及び図６は隔離部材の別の実施例であり、この実施例ではホルダー４の内壁面４ａにホルダー４の中心線に向けて隔離部材としてリブ１４ａが複数個形成され、各リブ１４ａの先端によりホース６が支持され、ホース６の表面がホルダー４の内壁面４ａに接触しないようにしている。リブは開口部から排水孔に向けて等間隔で複数個形成しても、開口部から排水孔まで連続して形成してもよい。なお、その他の構成は前記実施例と同一であるので、同一の部材には同一の符号を付し詳細な説明を省略する。
【００２７】
この実施例においても、ホースは隔離部材であるリブにより支持されているため、ホルダーの内壁面に接触しないので、ホルダーの内壁面を伝う水滴はホースに伝うことがなく、排水孔１６から外部へ排水させることができる。
【実施例３】
【００２８】
図７は隔離部材の別の実施例であり、この実施例ではホルダー４に装着された支持装置１７は、第１支持部材１８の下部に隔離部材として円筒状のガイド１４ｂが設けられ、該ガイド１４ｂの内部にホース６を挿通させている。ガイド１４ｂはホルダー４の内部で水栓本体２に向けて長く形成することで、ホース６がホルダー４の内壁面４ａに接触することがないようにしている。またガイド１４ｂの上端には通水孔３４が穿設されており、該通水孔３４により水滴はガイド１４ｂの内部からホルダー４の内壁面４ａに伝わる。
【００２９】
この実施例においても、ホースはホルダーの内壁面に接触することがないので、水滴を外部へ排水させることができる。また、この実施例ではガイドは支持部材に結合するだけでよく、既存の水栓は何ら変更する必要がなくそのまま利用して、支持装置にガイドを設けるのみの簡単な変更で、水滴のキャビネット内部への浸入を防止することができる。
【図面の簡単な説明】
【００３０】
【図１】本発明の水栓をカウンターに取り付けた状態の斜視図である。
【図２】本発明の水栓をカウンターに取り付けた状態の側断面図である。
【図３】水栓本体の拡大斜視図である。
【図４】シャワーヘッドの拡大縦断面図である。
【図５】別の実施例による水栓の側断面図である。
【図６】図５のＸ−Ｘ線断面図である。
【図７】さらに別の実施例による水栓の側断面図である。
【符号の説明】
【００３１】
１      ：カウンター
２      ：水栓本体
３      ：弁機構
４      ：ホルダー
４ａ    ：内壁面
５      ：シャワーヘッド
６      ：ホース
１３    ：開口部
１４    ：支持壁
１４ａ  ：リブ
１４ｂ  ：ガイド
１６    ：排水孔
Ａ      ：水栓
【図１】
2005299118.tif 000003
【図２】
2005299118.tif 000004
【図３】
2005299118.tif 000005
【図４】
2005299118.tif 000006
【図５】
2005299118.tif 000007
【図６】
2005299118.tif 000008
【図７】
2005299118.tif 000009